(57)【要約】  タイミングコントローラ（７）は、走査処理を行って映像信号に基づく映像を表示する表示モジュール（２）を制御する。タイミングコントローラ（７）は、表示用信号受信部（２０）が映像信号を受信しなくなると、動作判定部（２１）が走査処理を休止すべきと判定し、タイミング生成部（２２）が、表示パネル（２ａ）における走査処理を休止するように駆動回路（４・５）に指示する。
2012165302.tif 000002
【特許請求の範囲】
【請求項１】
走査処理を行って画像信号に基づく画像を表示する表示モジュールを制御する表示制御装置であって、
受信した前記画像信号の前記表示モジュールへの転送を停止するときに、前記走査処理の休止を前記表示モジュールに指示することを特徴とする表示制御装置。
【請求項２】
前記画像信号の前記表示モジュールへの転送を停止するときは、前記画像信号を受信しなくなったときであることを特徴とする請求項１に記載の表示制御装置。
【請求項３】
受信した前記画像信号の前記表示モジュールへの転送を実行するときに、前記走査処理の実行を前記表示モジュールに指示することを特徴とする請求項１または２に記載の表示制御装置。
【請求項４】
前記走査処理の開始を前記表示モジュールに指示した後に、前記画像信号の転送を開始することを特徴とする請求項３に記載の表示制御装置。
【請求項５】
前記画像信号の転送を停止するときに、前記表示制御装置または前記表示モジュールに含まれる少なくとも一部の回路の消費電力を低下させることを特徴とする請求項１から４までの何れか１項に記載の表示制御装置。
【請求項６】
１画面の一部分の画像に対応する第１の画像信号を転送してから所定期間を経過した後に、残り部分の画像に対応する第２の画像信号を転送することを特徴とする請求項１から５までの何れか１項に記載の表示制御装置。
【請求項７】
第１および第２の画像信号は、インタレース方式の画像信号であることを特徴とする請求項６に記載の表示制御装置。
【請求項８】
前記画像信号を差動信号で転送することを特徴とする請求項１から７までの何れか１項に記載の表示制御装置。
【請求項９】
前記画像信号の転送を停止してから所定期間内に再開する場合、前記走査処理の休止を前記表示モジュールに指示しないことを特徴とする請求項１から８までの何れか１項に記載の表示制御装置。
【請求項１０】
受信した前記画像信号を前記表示モジュールに転送する画像転送手段と、
前記走査処理の開始および休止を前記表示モジュールに指示する駆動指示手段とを備えており、
前記画像転送手段は、前記画像信号を前記表示モジュールに転送しているか否かを示す状態情報を作成して前記駆動指示手段に送信しており、
前記駆動指示手段は、前記画像転送手段から受信した状態情報に基づいて、前記走査処理の開始および休止を前記表示モジュールに指示することを特徴とする請求項１から９までの何れか１項に記載の表示制御装置。
【請求項１１】
走査処理を行って画像信号に基づく画像を表示素子にて表示する表示モジュールと、
該表示モジュールを制御する請求項１から１０までの何れか１項に記載の表示制御装置とを備えた表示システム。
【請求項１２】
前記表示モジュールは、受信した画像信号を前記表示素子に出力する出力回路を備えており、
前記表示制御装置は、前記画像信号の転送を停止するときに、前記出力回路の消費電力を低下するように前記表示モジュールに指示することを特徴とする請求項１１に記載の表示システム。
【請求項１３】
前記表示モジュールと前記表示制御装置とは別体であることを特徴とする請求項１１または１２に記載の表示システム。
【請求項１４】
前記表示モジュールは液晶表示モジュールであることを特徴とする請求項１１から１３までの何れか１項に記載の表示システム。
【請求項１５】
前記表示モジュールは、有機エレクトロルミネセンス表示モジュールであることを特徴とする請求項１１から１３までの何れか１項に記載の表示システム。
【請求項１６】
前記表示素子は、複数の画素と、該複数の画素のそれぞれに設けられた複数のスイッチング素子とを備えており、
該スイッチング素子は、半導体層に酸化物半導体が用いられたＴＦＴであることを特徴とする請求項１１から１５までの何れか１項に記載の表示システム。
【請求項１７】
前記酸化物半導体は、ＩＧＺＯであることを特徴とする請求項１６に記載の表示システム。
【請求項１８】
走査処理を行って画像信号に基づく画像を表示する表示モジュールを制御する表示制御装置の制御方法であって、
受信した前記画像信号の前記表示モジュールへの転送を停止するときに、前記走査処理の休止を前記表示モジュールに指示することを特徴とする表示制御装置の制御方法。
【発明の詳細な説明】
【技術分野】
【０００１】
本発明は、画像信号を画像に変換する走査処理を行って画像を表示する表示モジュールを制御する表示制御装置およびその制御方法、並びに表示システムに関するものである。
【背景技術】
【０００２】
一般に、表示システムは、表示モジュールと、該表示モジュールを制御する表示制御装置とを備えている。上記表示モジュールは、表示画素がマトリクス状に配列されたマトリクス型の表示素子と、該表示素子を駆動する駆動回路とを備える。【０００３】
上記マトリクス型の表示素子は、ＬＣＤ（Liquid Crystal Display）、ＰＤＰ（PlasmaDisplay Panel）、ＥＬ（Electroluminescence）ディスプレイ、ＦＥＤ（Field Emission Display）などのＦＰＤ（Flat Panel Display）に利用されている。ＦＰＤは、従来のＣＲＴ（Cathode Ray Tube）よりも薄型化かつ軽量化が可能であることから、近時、大多数の表示装置に利用されている。【０００４】
一方、上記表示制御装置は、画像信号と、上記表示素子を駆動するための各種制御信号とを、上記表示モジュールの上記駆動回路に送信する。これにより、上記表示モジュールの上記表示素子にて、画像信号を画像に変換する走査処理が行われて、該画像が表示される。【０００５】
従来の表示装置は、連続的に動作しているため、当該表示装置の消費電力が大きい要因となっていた。これに対し、間欠的に動作する表示装置が提案されており、例えば特許文献１〜４に記載されている。【０００６】
特許文献１に記載の表示装置では、走査期間と非走査期間とが設定され、非走査期間では、コントロールＩＣが、ゲートドライバおよびソースドライバに対し、ゲートスタートパルス信号以外の信号を入力しないようにしている。これにより、上記非走査期間において上記ゲートドライバおよび上記ソースドライバの内部のロジック回路を動作させる必要がなくなるので、消費電力を削減することができる。【０００７】
また、特許文献２に記載のマトリクス型表示装置では、ＬＣＤモジュールの信号電極駆動回路にフレームバッファを内蔵している。そして、表示データに変更が無い場合には、モジュールコントローラからＬＣＤモジュールへの表示データの転送を行わない。これにより、消費電力を低減することができる。また、表示データに変更があった場合には、上記表示データの転送を液晶表示タイミングとは無関係に低周波クロックで行う。これにより、高周波クロックでの動作が不要となり、消費電力をさらに低減することができる。【０００８】
また、特許文献３に記載の液晶表示装置では、液晶駆動回路は、ビデオ信号の未入力時には液晶表示に必要な駆動パルスの出力を停止し、ＬＣＤパネルに表示されている現画像を保持させている。上記駆動パルスの出力を停止することにより、消費電力を低減することができる。【０００９】
また、特許文献４に記載の表示装置では、ビデオ信号に付加されたアドレス情報またはビデオ信号の先頭情報により、ビデオ信号のフレームレートおよび基準時間を検出し、当該フレームレートが低下したことを検出した場合に、ビデオ信号の供給源に対し、当該表示装置へ伝送する画像信号の伝送速度を低下、または間引き伝送するよう要求するようにしている。これにより、画面の更新前後の画像が混在して見苦しい画面を表示するいわゆるテアリングを防止することができる。
【先行技術文献】
【特許文献】
【００１０】
【特許文献１】日本国公開特許公報「特開２００１−３１２２５３号公報（２００１年１１月０９日公開）」
【特許文献２】日本国公開特許公報「特開２００１−０６００７９号公報（２００１年０３月０６日公開）」
【特許文献３】日本国公開特許公報「特開平１１−３３８４２５号公報（１９９９年１２月１０日公開）」
【特許文献４】日本国公開特許公報「特開２００３−０３６０４６号公報（２００３年０２月０７日公開）」
【発明の概要】
【発明が解決しようとする課題】
【００１１】
特許文献１に記載の表示装置では、走査処理を実行する走査期間の種類ごとに、走査処理を休止する休止期間を複数設定できることが開示されている。また、特許文献３に記載の液晶表示装置では、上記休止期間を、上記走査期間の整数倍に設定できることが開示されている。【００１２】
しかしながら、間欠的な動作を複数設定する場合、表示制御装置は、走査処理の実行および休止のタイミングを、設定ごとに用意する必要がある。このため、設定の数が増えるにつれて、上記タイミングを生成する回路構成の大規模化および複雑化を招くことになる。【００１３】
本発明は、上記の問題点に鑑みてなされたものであり、その目的は、回路構成の大規模化および複雑化を招くことなく、種々の間欠的な動作に対応可能な表示制御装置などを提供することにある。
【課題を解決するための手段】
【００１４】
本発明に係る表示制御装置は、走査処理を行って画像信号に基づく画像を表示する表示モジュールを制御する表示制御装置であって、上記目的を達成するために、受信した前記画像信号の前記表示モジュールへの転送を停止するときに、前記走査処理の休止を前記表示モジュールに指示することを特徴としている。【００１５】
また、本発明に係る表示制御装置の制御方法は、走査処理を行って画像信号に基づく画像を表示する表示モジュールを制御する表示制御装置の制御方法であって、上記目的を達成するために、受信した前記画像信号の前記表示モジュールへの転送を停止するときに、前記走査処理の休止を前記表示モジュールに指示することを特徴としている。【００１６】
上記の構成及び方法によると、受信した画像信号の表示モジュールへの転送が停止されたときに、走査処理の休止が表示モジュールに指示されて、表示モジュールにおける走査処理が休止される。このため、間欠的な動作が変更されても、走査処理の休止の条件は変更されない。従って、回路構成の大規模化および複雑化を招くことなく、種々の間欠的な動作に対応することができる。
【発明の効果】
【００１７】
以上のように、本発明に係る表示制御装置は、受信した画像信号の表示モジュールへの転送が停止されたときに、走査処理の休止が表示モジュールに指示されて、表示モジュールにおける走査処理が休止されるので、回路構成の大規模化および複雑化を招くことなく、種々の間欠的な動作に対応することができるという効果を奏する。
【図面の簡単な説明】
【００１８】
【図１】本発明の一実施形態である電子機器の構成の詳細を示すブロック図である。
【図２】上記電子機器における表示用信号転送部およびタイミングコントローラの構成の詳細を示すブロック図である。
【図３】上記タイミングコントローラが走査線駆動回路に出力するタイミング信号と、該走査線駆動回路からの出力信号との時間変化の例を示すタイミングチャートである。
【図４】上記電子機器において、受信映像信号と、走査処理と、表示状態との時間変化の一例を示すタイミングチャートである。
【図５】上記受信映像信号、走査処理、および表示状態の他の時間変化の例を示すタイミングチャートである。
【図６】本発明の別の実施形態である電子機器における表示用信号転送部およびタイミングコントローラの構成の詳細を示すブロック図である。
【図７】本発明のさらに別の実施形態である電子機器における表示モジュールの動作状態および各種信号の時間変化を示すタイミングチャートである。
【図８】本発明のさらに別の実施形態である電子機器における表示用信号転送部およびタイミングコントローラの構成の詳細を示すブロック図である。
【図９】本発明のさらに別の実施形態である電子機器における表示用信号転送部およびタイミングコントローラの構成の詳細を示すブロック図である。
【図１０】本発明の他の実施形態である電子機器における表示用信号転送部が出力する動作判定信号および表示用信号の時間変化を示すタイミングチャートである。
【図１１】各種ＴＦＴの特性を示すグラフである。
【発明を実施するための形態】
【００１９】
〔実施の形態１〕
本発明の一実施形態について図１〜図５・図１１を参照して説明する。
【００２０】
（電子機器１の構成）
まず、本実施形態に係る電子機器（表示システム）１の構成について、図１を参照して説明する。図１は、本実施形態に係る電子機器１の構成の詳細を示すブロック図である。電子機器１の例としては、携帯電話機、スマートフォン、ラップトップ型パーソナルコンピュータ、タブレット型の各種情報端末装置などが挙げられる。
【００２１】
図１に示すように、電子機器１は、表示モジュール２、タイミングコントローラ（表示制御装置）７、および本体装置１０を備えている。表示モジュール２は、フレキシブルケーブル等を介してタイミングコントローラ７に電気的に接続されており、タイミングコントローラ７は、フレキシブルケーブル等を介して本体装置１０に電気的に接続されている。本実施形態の電子機器１では、本体装置１０は、タイミングコントローラ７および表示モジュール２を介して映像を表示出力している。なお、映像以外にも、静止画像、記号など、任意の情報を表示出力してもよい。
【００２２】
表示モジュール２は、表示パネル（表示素子）２ａ、走査線駆動回路（ゲートドライバ）４、信号線駆動回路（ソースドライバ）５、および、共通電極駆動回路６を備えている。
【００２３】
表示パネル２ａは、マトリクス状に配置された複数の画素を備えている。また、表示パネル２ａは、上記複数の画素を線順次に選択して走査するためのＮ本（Ｎは任意の整数）の走査信号線Ｇ（ゲートライン）を備えている。さらに、表示パネル２ａは、選択されたラインに含まれる１行分の画素にデータ信号を供給するＭ本（Ｍは任意の整数）のデータ信号線Ｓ（ソースライン）を備えている。走査信号線Ｇとデータ信号線Ｓとは互いに交差している。
【００２４】
なお、図１に示すＧ（ｎ）はｎ本目（ｎは１以上Ｎ以下の整数）の走査信号線Ｇを表す。例えば、Ｇ（１）、Ｇ（２）、および、Ｇ（３）は、それぞれ１本目、２本目および３本目の走査信号線Ｇを表す。一方、Ｓ（ｉ）はｉ本目（ｉは１以上Ｍ以下の整数）のデータ信号線Ｓを表す。例えば、Ｓ（１）、Ｓ（２）、および、Ｓ（３）は、それぞれ１本目、２本目および３本目のデータ信号線Ｓを表す。
【００２５】
走査線駆動回路４は、表示パネル２ａの各走査信号線Ｇを、例えばＧ（１）からＧ（ｎ）に向かって順次走査する。その際、各走査信号線Ｇに対して、画素に備えられ画素電極に接続されるスイッチング素子をオン状態にさせるための矩形波を出力する。これにより、表示パネル２ａの１行分の画素を選択状態にする。
【００２６】
但し、走査線駆動回路４における走査は、上述した順次走査に限定されるものではない。例えば、１本目、３本目、５本目・・・と奇数番目の走査信号線を走査した後に、２本目、４本目、６本目・・・と偶数番目の走査信号線を走査する飛越し走査を行ってもよい。
【００２７】
信号線駆動回路５は、本体装置１０からタイミングコントローラ７を介して入力された映像信号（矢印Ａ、画像信号）に基づき、選択された１行分の各画素に出力すべき電圧の値に変換し、その値の電圧を各データ信号線Ｓに出力する。その結果、選択された走査信号線Ｇ上の各画素に対して画像データを供給する。
【００２８】
また、表示パネル２ａは、画面内の各画素に対して設けられる共通電極（図示せず）を備えている。共通電極駆動回路６は、タイミングコントローラ７から入力される極性反転信号（矢印Ｂ）に基づき、上記共通電極を駆動するための所定の共通電圧を上記共通電極に出力する（矢印Ｃ）。
【００２９】
タイミングコントローラ７は、本体装置１０から映像信号が入力され（矢印Ａ）、さらに、クロック信号と、同期信号としての水平同期信号（Ｈｓｙｎｃ）および垂直同期信号（Ｖｓｙｎｃ）とが入力される（矢印Ｄ）。タイミングコントローラ７は、これら入力信号に基づき、表示モジュール２の各回路が同期して動作するための基準となる映像同期信号として、水平同期制御信号および垂直同期制御信号を生成し、走査線駆動回路４および信号線駆動回路５にそれぞれ出力する（矢印Ｅ、Ｆ）。
【００３０】
具体的には、タイミングコントローラ７は、走査線駆動回路４に対して、ゲートスタートパルス信号、ゲートクロック信号、およびゲートアウトプットイネーブル信号を出力する（矢印Ｅ）。また、タイミングコントローラ７は、信号線駆動回路５に対して、ソーススタートパルス信号、ソースラッチストローブ信号、およびソースクロック信号を出力すると共に（矢印Ｆ）、映像信号を出力する（矢印Ａ）。
【００３１】
上記の水平同期制御信号は、信号線駆動回路５において、映像信号を表示パネル２ａへ出力するタイミングを制御する出力タイミング信号として使用され、走査線駆動回路４において、表示パネル２ａへ走査信号を出力するタイミングを制御するタイミング信号として使用される。また、上記の垂直同期制御信号は、走査線駆動回路４において、走査信号線Ｇの走査スタートのタイミングを制御するタイミング信号として使用される。
【００３２】
走査線駆動回路４は、タイミングコントローラ７から受け取った水平同期制御信号および垂直同期制御信号に従って、表示パネル２ａの走査を開始し、各走査信号線Ｇを順次選択して走査信号を出力する。一方、信号線駆動回路５は、タイミングコントローラ７から受け取った水平同期制御信号に従って、映像信号に基づく画像データを表示パネル２ａの各データ信号線Ｓに書き込む。画像データの書込みには、例えば、信号線駆動回路５が有するＤＡＣ（Digital-to-Analog Converter）およびソースアンプ回路が用いられる。
【００３３】
なお、図１の例では、走査線駆動回路４および信号線駆動回路５がそれぞれ１つのみ示されているが、これに限定されるものではない。表示モジュール２には、複数の信号線駆動回路５が搭載されていてもよいし、複数の走査線駆動回路４が搭載されていてもよい。
【００３４】
本体装置１０は、電子機器１における主要な処理を行うものであり、例えば、ＣＰＵ（Central Processing Unit）、メモリなどを備える構成である。図１に示すように、本体装置１０は、表示パネル２ａから映像を表示出力するために、映像信号、クロック信号、垂直同期信号、水平同期信号などの表示用信号をタイミングコントローラ７に転送する表示用信号転送部（表示制御装置、画像転送手段）１１を備える。
【００３５】
なお、電子機器１内の各回路には、電源生成回路（図示せず）から、回路の駆動や動作に必要な電圧が供給されている。図１の例では、信号線駆動回路５には、電源電圧Ｖｄｄが供給されている。
【００３６】
また、以下では、走査線駆動回路４および信号線駆動回路５を総称する場合には「駆動回路４・５」と記載する。
【００３７】
本実施形態では、タイミングコントローラ７は、本体装置１０からの映像信号の受信を開始すると、表示パネル２ａの走査処理を開始するように、駆動回路４・５に指示する。すなわち、タイミングコントローラ７は、本体装置１０から映像信号を受信すると、上記走査処理を実行するための映像同期信号を生成して駆動回路４・５に出力すると共に、受信した映像信号を信号線駆動回路５に出力する。
【００３８】
また、タイミングコントローラ７は、本体装置１０からの映像信号の受信が停止すると、表示パネル２ａの走査処理を休止するように、表示モジュール２に指示する。これにより、映像信号の受信が停止されたときに、走査処理の休止が表示モジュール２に指示されて、表示パネル２ａの走査処理が休止される。このため、間欠的な動作が変更されても、走査処理の休止および実行の条件は変更されない。従って、回路構成の大規模化および複雑化を招くことなく、種々の間欠的な動作に対応可能となる。
【００３９】
図２は、表示用信号転送部１１およびタイミングコントローラ７の構成の詳細を示すブロック図である。図示のように、表示用信号転送部１１は、映像信号受信部（画像転送手段）１２、同期信号生成部１３、表示用信号出力部（画像転送手段）１４を備える構成である。また、タイミングコントローラ７は、表示用信号受信部（画像転送手段）２０、動作判定部（駆動指示手段）２１、タイミング生成部（駆動指示手段）２２、および映像信号出力部（画像転送手段）２３を備える構成である。
【００４０】
映像信号受信部１２は、例えば、本体装置１０内のフレームメモリ（図示せず）などから映像信号を受信するものである。映像信号受信部１２は、受信した映像信号を同期信号生成部１３および表示用信号出力部１４に送信する。
【００４１】
同期信号生成部１３は、映像信号受信部１２からの映像信号と、本体装置１０内のクロック発振器（図示せず）からのクロック信号とに基づいて、垂直同期信号および水平同期信号を生成するものである。同期信号生成部１３は、生成した垂直同期信号および水平同期信号を表示用信号出力部１４に送信する。表示用信号出力部１４は、映像信号受信部１２からの映像信号と、同期信号生成部１３からの垂直同期信号および水平同期信号と、上記クロック信号とを含む表示用信号を、上記クロック信号に基づいて、タイミングコントローラ７に出力するものである。
【００４２】
表示用信号受信部２０は、表示用信号転送部１１から映像信号を含む表示用信号を受信するものである。表示用信号受信部２０は、受信した表示用信号のうち、映像信号を映像信号出力部２３に送信すると共に、残りの表示用信号、すなわちクロック信号、垂直同期信号、および水平同期信号をタイミング生成部２２に送信する。さらに、表示用信号受信部２０は、表示用信号転送部１１から映像信号を受信しているか否かを動作判定部２１に通知する。
【００４３】
動作判定部２１は、表示用信号受信部２０からの通知に基づいて、走査処理の動作を実行するか否かを判定するものである。具体的には、動作判定部２１は、表示用信号受信部２０が映像信号を受信している場合、走査処理の動作を実行すべきと判定する一方、表示用信号受信部２０が映像信号を受信していない場合、走査処理の動作を休止すべきと判定する。動作判定部２１は、判定結果をタイミング生成部２２に通知する。
【００４４】
タイミング生成部２２は、表示用信号受信部２０からの表示用信号に基づいて、駆動回路４・５の駆動タイミングを制御する各種のタイミング信号（垂直同期制御信号および水平同期制御信号）を生成するものである。タイミング生成部２２は、生成したタイミング信号を映像信号出力部２３および駆動回路４・５に出力する。
【００４５】
さらに、タイミング生成部２２は、動作判定部２１の判定結果に基づき、駆動回路４・５に指示して、表示パネル２ａにおける走査処理を実行または休止させる。具体的には、タイミング生成部２２は、動作判定部２１が走査処理を実行すべきと判定した場合、走査処理の実行を駆動回路４・５に指示する。一方、タイミング生成部２２は、動作判定部２１が走査処理を休止すべきと判定した場合、走査処理の休止を駆動回路４・５に指示する。
【００４６】
走査線駆動回路４は、タイミング生成部２２から走査処理の休止が指示されると、表示パネル２ａの各走査信号線Ｇの走査を停止する。一方、信号線駆動回路５は、タイミング生成部２２から走査処理の休止が指示されると、データ信号線Ｓへの出力を停止する。これにより、表示パネル２ａの駆動が停止されて、走査処理が休止される。その結果、表示パネル２ａにおける消費電力が低減される。
【００４７】
なお、タイミング生成部２２から駆動回路４・５への走査処理の実行または休止の指示は、上記タイミング信号とは別の信号で行ってもよいが、上記タイミング信号を利用して行うことが望ましい。これについて、図３を参照して説明する。
【００４８】
図３は、走査線駆動回路４に出力するタイミング信号と、走査線駆動回路４からの出力信号との時間変化の例を示すタイミングチャートである。図３では、上から順に、ゲートクロック信号ＧＣＫ、ゲート出力イネーブル信号ＧＯＥ、および走査信号Ｇ１〜Ｇ７の時間変化を示している。
【００４９】
ゲート出力イネーブル信号ＧＯＥは、ゲートクロック信号ＧＣＫの立下りから所定期間を経過した時点（ゲートクロック信号ＧＣＫの立上りの直前）で、立ち上がり、ゲートクロック信号ＧＣＫの立上りの所定期間後に立ち下がるものである。ゲート出力イネーブル信号ＧＯＥは、立上り時に、現在Ｈ（高）レベルの走査信号Ｇが立ち下がり、立下り時に、次の走査信号Ｇが立ち上がる。すなわち、ゲート出力イネーブル信号ＧＯＥがＨレベルの時、全ての走査信号ＧがＬ（低）レベルとなり、駆動が休止することになる。
【００５０】
そこで、動作判定部２１が走査処理を休止すべきと判定した場合、タイミングコントローラ７は、ゲートクロック信号ＧＣＫをＬレベルに維持して、かつ、ゲート出力イネーブル信号ＧＯＥを、上記所定期間経過後にＨレベルに維持する。その結果、走査信号線Ｇの走査が停止する。以上より、既存のタイミング信号のみで、タイミング生成部２２から走査線駆動回路４への走査処理の実行または休止の指示を実現できることが理解できる。
【００５１】
なお、信号線駆動回路５については、動作判定部２１が走査処理を休止すべきと判定した場合、タイミングコントローラ７は、ソーススタートパルス信号、ソースラッチストローブ信号、およびソースクロック信号をＬレベルに維持すればよい。この場合、信号線駆動回路５におけるデータ信号線Ｓへの出力処理が停止する。従って、既存のタイミング信号のみで、タイミング生成部２２から信号線駆動回路５への走査処理の実行または休止の指示を実現することができる。
【００５２】
図２を再び参照すると、映像信号出力部２３は、表示用信号受信部２０からの映像信号を、タイミング生成部２２からのタイミング信号に基づいて、信号線駆動回路５に出力するものである。出力された映像信号は、信号線駆動回路５のＤＡＣ３０およびソースアンプ回路３１を介して、表示パネル２ａに出力される。
【００５３】
上記の構成によると、表示用信号受信部２０が表示用信号転送部１１から映像信号を受信すると、動作判定部２１は、走査処理を実行すべきと判定する。これにより、タイミング生成部２２が、各種のタイミング信号を生成して、駆動回路４・５に送信すると共に、駆動回路４・５に走査処理の実行を指示し、映像信号出力部２３が映像信号を信号線駆動回路５に出力する。その結果、表示パネル２ａにおける走査処理が行われて、上記映像信号に基づく映像が表示される。
【００５４】
その後、表示用信号受信部２０が上記映像信号を受信しなくなると、動作判定部２１は、走査処理を休止すべきと判定する。これにより、タイミング生成部２２が、各種のタイミング信号を生成して、駆動回路４・５に送信すると共に、駆動回路４・５に走査処理の休止を指示する。なお、表示用信号受信部２０が上記映像信号を受信していないので、当然、映像信号出力部２３から信号線駆動回路５への上記映像信号の出力が停止される。その結果、表示パネル２ａにおける走査処理が休止され、表示パネル２ａの表示が保持される。
【００５５】
そして、表示用信号受信部２０が上記映像信号の受信を再開すると、動作判定部２１は、走査処理の実行を再開すべきと判定する。これにより、タイミング生成部２２が、各種のタイミング信号の生成して、駆動回路４・５に送信すると共に、駆動回路４・５に走査処理の再開を指示し、映像信号出力部２３が映像信号の信号線駆動回路５への出力を再開する。その結果、表示パネル２ａにおける走査処理が再開されて、上記映像信号に基づく映像が表示される。
【００５６】
図４は、受信した映像信号（受信映像信号）と、走査処理と、表示状態との時間変化の一例を示すタイミングチャートである。同図の（ａ）は、本実施形態の表示モジュール２に関するものである。一方、同図の（ｂ）は、参考例であり、従来の表示モジュールに関するものである。また、同図の（ｃ）は、参考例であり、フレームメモリを備える従来の表示モジュールに関するものである。また、以下では、１フレーム期間をＴfと称している。
【００５７】
図４の例では、まず映像１が３フレーム期間３Ｔf表示され、次に映像２が３フレーム期間３Ｔf表示されている。なお、同図では、見易いように、上記受信映像信号、走査処理、および表示状態のタイミングを揃えて表示している。しかしながら、実際には、上記受信映像信号のタイミングから上記走査処理のタイミングが若干遅延し、上記走査処理のタイミングから上記表示状態のタイミングが若干遅延している。
【００５８】
図４の（ｂ）に示すように、従来の表示モジュールは、各フレーム期間Ｔfで、映像信号を受信し、走査処理を行って、映像を表示している。このため、同じ映像信号を３フレーム期間３Ｔf連続して受信する必要がある。
【００５９】
一方、フレームメモリを備えた従来の表示モジュールは、各フレーム期間Ｔfで、フレームメモリから映像信号を読み出し、走査処理を行って、映像を表示している。当該表示モジュールは、映像信号を上記フレームメモリにて保持できるので、図４の（ｃ）に示すように、同じ映像信号を受信する必要は無い。
【００６０】
これに対し、本実施形態では、図４の（ａ）に示すように、映像信号を受信しているフレーム期間Ｔfのみ、当該映像信号の走査処理を行っている。具体的には、第１のフレーム期間では、映像１の信号を受信し、走査処理を行って、映像１を表示する。そして、第２および第３のフレーム期間では、映像信号を受信しないので、走査処理を休止する。これにより、映像１の表示が保持される。そして、第４のフレーム期間では、映像２の信号を受信するので、走査処理を再開して、映像２を表示する。
【００６１】
図４を参照すると、本実施形態の表示モジュール２は、従来の表示モジュールに比べて、走査処理の回数が低減しており、その結果、消費電力を低減できることが理解できる。
【００６２】
なお、図４の例では、走査処理を実行する走査期間Ｔ1を１フレーム期間Ｔfとし、走査処理を休止する休止期間Ｔ2を２フレーム期間２Ｔfとしているが、これに限定されるものではない。映像信号を受信する期間に応じて走査期間Ｔ1が変化し、映像信号を受信しない期間に応じて休止期間Ｔ2が変化する。
【００６３】
図５は、受信映像信号、走査処理、および表示状態の他の時間変化の例を示すタイミングチャートである。図示の例では、垂直同期信号の周期である１フレーム期間（１／６０≒１６．７ｍｓ）の１／３の期間１／３Ｔfで、１画面分の映像信号を受信し、走査処理
を行っている。この場合、走査期間Ｔ1は１／３Ｔfとなり、休止期間Ｔ2は２／３Ｔfとなる。
【００６４】
なお、本実施形態では、表示モジュール２とタイミングコントローラ７とは、別体としてそれぞれ形成されているが、一体に形成されてもよい。このとき、表示モジュール２の信号線駆動回路５がタイミングコントローラ７の機能を有してもよい。
【００６５】
また、本実施形態では、表示パネル２ａの各画素におけるスイッチング素子として、その半導体層にいわゆる酸化物半導体を用いたＴＦＴ（Thin Film Transistor）を採用している。上記酸化物半導体には、例えばＩＧＺＯ（InGaZnOx）が含まれる。この構成の利点について、図１１を参照して説明する。
【００６６】
図１１は、各種ＴＦＴの特性を示すグラフである。図１１では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性が示されている。図示において、横軸はゲート電圧Ｖghを示し、縦軸はドレイン電流Ｉdを示している。
【００６７】
図１１に示すように、ＴＦＴは、ゲート電圧Ｖghが或る閾値Ｖth以下である場合、ドレイン電流Ｉdが小さくかつ略一定であるオフ状態となる。次に、ゲート電圧Ｖghが上昇して上記閾値Ｖthを超えると、ドレイン電流Ｉdが上昇する。そして、ゲート電圧Ｖghがさらに上昇して或る値Ｖgh（TFT-on）を超えると、ドレイン電流Ｉdが大きくかつ略一定であるオン状態となる。
【００６８】
さらに、図１１に示すように、酸化物半導体を用いたＴＦＴは、ａ−Ｓｉを用いたＴＦＴよりも、オン状態での電流（すなわち、電子移動度）が大きい。図示は省略するが、具体的には、ゲート電圧Ｖgh（TFT-on）でのドレイン電流Ｉdが、ａ−Ｓｉを用いたＴＦＴでは１μＡであるのに対し、酸化物半導体を用いたＴＦＴでは２０〜５０μＡ程度であった。このことから、酸化物半導体を用いたＴＦＴは、ａ−Ｓｉを用いたＴＦＴよりも、オン状態での電子移動度が２０〜５０倍程度高く、オン特性が非常に優れていることが理解できる。
【００６９】
また、図１１に示すように、酸化物半導体を用いたＴＦＴは、ａ−Ｓｉを用いたＴＦＴやＬＴＰＳを用いたＴＦＴよりも、オフ状態での電流（すなわち、リーク電流）が少ない。図示は省略するが、具体的には、上記閾値Ｖthよりも小さいゲート電圧Ｖgh（TFT-off）でのドレイン電流Ｉdが、ａ−Ｓｉを用いたＴＦＴでは１０ｐＡであるのに対し、酸化物半導体を用いたＴＦＴでは０．１ｐＡ程度であった。このことから、酸化物半導体を用いたＴＦＴは、オフ状態でのリーク電流が、ａ−Ｓｉを用いたＴＦＴの１００分の１程度であり、リーク電流が殆ど生じず、オフ特性が非常に優れていることが理解できる。
【００７０】
以上のことから、本実施形態の表示モジュール２において、酸化物半導体を半導体層に用いたＴＦＴを各画素のスイッチング素子に採用することによって、各画素のＴＦＴのオン特性およびオフ特性が非常に優れたものとなる。従って、各画素に対して画素データを書き込む時の電子移動量が増大し、該書き込みにかかる時間をより短縮することができる。
【００７１】
すなわち、本実施形態の表示モジュール２は、走査を著しく高速に行うことができ、走査期間Ｔ1を短縮することができるので、その分、休止期間Ｔ2を延長することができる。従って、表示モジュール２における消費電力の低減をさらに向上させることができる。
【００７２】
〔実施の形態２〕
次に、本発明の別の実施形態について、図６を参照して説明する。図６は、本実施形態の電子機器１における表示用信号転送部１１およびタイミングコントローラ７の構成の詳細を示すブロック図である。
【００７３】
本実施形態の電子機器１は、図２に示す電子機器１に比べて、タイミングコントローラ７が駆動制御部２４をさらに備える点が異なり、その他の構成は同様である。なお、上記実施形態で説明した構成および処理と同様の構成および処理には同一の符号を付して、その説明を省略する。
【００７４】
駆動制御部２４は、動作判定部２１からの判定結果に基づいて、表示モジュール２内の各種回路の駆動を制御するものである。具体的には、駆動制御部２４は、走査処理の動作を休止すべきとの判定結果を受信した場合、表示用信号受信部２０およびソースアンプ回路３１の駆動を低下または停止するように制御する。一方、駆動制御部２４は、走査処理の動作を実行すべきとの判定結果を受信した場合、表示用信号受信部２０およびソースアンプ回路３１の駆動を元に戻すように制御する。これにより、タイミングコントローラ７および表示モジュール２は、走査処理を休止している休止期間における消費電力を低減することができる。
【００７５】
なお、図示の例では、表示用信号受信部２０およびソースアンプ回路３１の駆動を低下または停止するように制御しているが、その他の回路の駆動を低下または停止させてもよい。また、回路の駆動を低下または停止させる方法としては、印加電圧を低下またはゼロにする、定常電流を低下またはゼロにする、供給電力を低下またはゼロにすることなどが挙げられる。また、回路の駆動を低下または停止させる期間は、休止期間と同じであってもよいし、休止期間内の一部期間であってもよい。
【００７６】
〔実施の形態３〕
次に、本発明のさらに別の実施形態について、図７を参照して説明する。本実施形態の電子機器１は、図１〜図５に示す電子機器１に比べて、表示モジュール２の走査が飛越し（インタレース）走査である点が異なり、その他の構成は同様である。なお、上記実施形態で説明した構成および処理と同様の構成および処理には同一の符号を付して、その説明を省略する。
【００７７】
図７は、本実施形態の表示モジュール２における動作状態および各種信号の時間変化を示すタイミングチャートである。図７では、上から順に、受信映像信号、走査処理、および動作判定信号と、各走査信号線Ｇに出力される走査信号とを示している。
【００７８】
図７を参照すると、まず、表示用信号受信部２０に映像１の奇数ライン分の映像信号を受信することにより、走査処理が開始される。この時、奇数ラインの走査信号線Ｇ１・Ｇ３・Ｇ５…が順次駆動されて、画面の半分における走査が行われる。次に、表示用信号受信部２０が映像信号を受信しなくなることにより、走査処理が休止する。
【００７９】
次に、まず、表示用信号受信部２０に映像１の偶数ライン分の映像信号を受信することにより、走査処理が開始される。この時、偶数ラインの走査信号線Ｇ２・Ｇ４・Ｇ６…が順次駆動されて、画面の残り半分における走査が行われる。次に、表示用信号受信部２０が映像信号を受信しなくなることにより、走査処理が休止する。以後、次の映像２についても同様の動作を繰り返す。
【００８０】
このように、本実施形態の電子機器１では、１画面の走査の間に休止期間が設けられるような間欠的な動作の場合にも、タイミングを予め設定することなく、走査処理を休止することができる。なお、本実施形態では、１本の走査信号線Ｇごとに飛越し走査を行っているが、複数本の走査信号線Ｇごとに飛越し走査を行ってもよい。
【００８１】
〔実施の形態４〕
次に、本発明のさらに別の実施形態について、図８を参照して説明する。図８は、本実施形態の電子機器１における表示用信号転送部１１およびタイミングコントローラ７の構成の詳細を示すブロック図である。本実施形態の電子機器１は、図１〜図５に示す電子機器１に比べて、表示用信号転送部１１から表示用信号受信部２０へ出力される表示用信号が差動信号である点が異なり、その他の構成は同様である。なお、上記実施形態で説明した構成および処理と同様の構成および処理には同一の符号を付して、その説明を省略する。
【００８２】
図８に示す表示用信号転送部１１は、図２に示す表示用信号転送部１１に比べて、表示用信号出力部１４からの表示用信号を差動信号に変換する送信側差動アンプ１６をさらに備える点が異なり、その他の構成は同様である。送信側差動アンプ１６は、変換した差動信号をタイミングコントローラ７に出力する。
【００８３】
また、図８に示すタイミングコントローラ７は、図２に示すタイミングコントローラ７に比べて、表示用信号転送部１１からの差動信号を表示用信号に変換する受信側差動アンプ２５を備える点が異なり、その他の構成は同様である。受信側差動アンプ２５は、変換した表示用信号を表示用信号受信部２０に送信する。
【００８４】
差動信号は、プラス側の信号とマイナス側の信号との１対の信号から構成されており、プラス側の信号とマイナス側の信号とは、ほぼ１８０度の位相差を有している。これら２つの信号の電位差が信号レベルになる。
【００８５】
差動信号を用いることにより、シングルエンド信号よりも信号振幅を小さくできるため、データ伝送速度を高速にできる。また、差動信号は、コモン・モード雑音に強いという有利な効果を奏する。
【００８６】
〔実施の形態５〕
次に、本発明のさらに別の実施形態について、図９を参照して説明する。図９は、本実施形態の電子機器１における表示用信号転送部１１およびタイミングコントローラ７の構成の詳細を示すブロック図である。
【００８７】
本実施形態の電子機器１は、図１〜図５に示す電子機器１に比べて、タイミングコントローラ７の動作判定部２１に代えて、動作判定部（駆動指示手段）１５が表示用信号転送部１１に設けられている点が異なり、その他の構成は同様である。なお、上記実施形態で説明した構成および処理と同様の構成および処理には同一の符号を付して、その説明を省略する。
【００８８】
動作判定部１５は、映像信号受信部１２からの映像信号に基づいて、表示パネル２ａにおける走査処理の動作を実行するか否かを判定するものである。具体的には、動作判定部１５は、映像信号受信部１２が映像信号を受信している場合、走査処理の動作を実行すべきと判定する一方、映像信号受信部１２が映像信号を受信していない場合、走査処理の動作を休止すべきと判定する。動作判定部１５は、判定結果を示す動作判定信号をタイミングコントローラ７のタイミング生成部２２に出力する。
【００８９】
このように、映像信号の受信の有無に基づいて、走査処理の実行の有無を判定する動作判定は、タイミングコントローラ７にて行うこともできるし、表示用信号転送部１１にて行うこともできる。上記動作判定を表示用信号転送部１１にて行う場合、タイミングコントローラ７の構成を簡略化することができる。
【００９０】
なお、動作判定信号は、表示用信号の何れかに組み込んでタイミングコントローラ７に出力してもよいし、新たに設けた信号線を利用して、上記表示用信号とは別にタイミングコントローラ７に出力してもよい。
【００９１】
また、動作判定部１５は、表示用信号転送部１１における各種回路の駆動を低下または停止させてもよい。この場合、休止期間における表示用信号転送部１１の消費電力を低減することができる。
【００９２】
〔実施の形態６〕
次に、本発明のさらに別の実施形態について、図１０を参照して説明する。本実施形態の電子機器１は、図９に示す電子機器１に比べて、表示用信号転送部１１がタイミングコントローラ７に対し、動作判定信号を出力するタイミングと、表示用信号を出力するタイミングとが異なり、その他の構成は同様である。なお、上記実施形態で説明した構成および処理と同様の構成および処理には同一の符号を付して、その説明を省略する。
【００９３】
図１０は、本実施形態の電子機器１の表示用信号転送部１１が出力する動作判定信号および表示用信号の時間変化を示すタイミングチャートである。図示の例では、動作判定信号は、Ｈレベルの場合に、走査処理の動作を実行すべき旨を示しており、Ｌレベルの場合に、走査処理の動作を休止すべき旨を示している。また、表示用信号は、Ｈレベルの場合に、表示用信号を出力しており、Ｌレベルの場合に、表示用信号の出力を停止している。
【００９４】
本実施形態では、図１０に示すように、動作判定信号が、Ｌレベル（走査処理の休止）からＨレベル（走査処理の実行）に遷移する場合、表示用信号の出力よりも前に動作判定信号を出力している。これにより、表示用信号受信部２０およびソースアンプ回路３１が駆動を再開するまでの時間を確保できるので、表示モジュール２は、表示用信号の受信や、走査処理の実行を失敗することを回避できる。
【００９５】
また、本実施形態では、図１０に示すように、動作判定信号が、Ｈレベル（走査処理の実行）からＬレベル（走査処理の休止）に遷移する場合、表示用信号の出力の後に動作判定信号を出力している。これにより、出力された表示用信号に基づく走査処理を完了してから、表示用信号受信部２０およびソースアンプ回路３１の駆動を停止できるので、表示モジュール２は、表示用信号の受信や、走査処理の実行に失敗することを回避できる。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９７】
例えば、上記実施形態に係る表示パネル２ａは、液晶層を備える液晶パネルであってもよい。この場合、本実施形態に係る表示モジュール２は、液晶表示モジュールとなる。
【００９８】
また、上記実施形態に係る表示パネル２ａの画素が、流れる電流に応じた輝度で発光する素子である有機ＥＬ（Electro luminescence：エレクトロルミネッセンス）ダイオードを有しても良い。この場合、本実施形態に係る表示モジュール２は、有機ＥＬディスプレイ（有機エレクトロルミネッセンス表示モジュール）となる。有機ＥＬディスプレイは、走査処理時の消費電流が大きいので、本願発明を適用することにより、消費電流の低減を効果的に行うことができる。
【００９９】
また、タイミングコントローラ７の中には、受信した映像信号を一時記憶するフレームバッファを備えるものも存在する。この場合、表示用信号受信部２０が映像信号を受信しなくても、映像信号出力部２３は、上記フレームバッファから映像信号を読み出して、表示モジュール２に出力することになる。
【０１００】
そこで、動作判定部２１は、映像信号出力部２３が映像信号を表示モジュール２に出力している場合、走査処理の動作を実行すべきと判定する一方、出力していない場合、走査処理の動作を休止すべきと判定して、タイミング生成部２２に通知してもよい。このとき、映像信号の表示モジュール２への出力が停止されたときに、表示モジュール２における走査処理が休止される一方、映像信号の表示モジュール２への出力が再開されたときに、表示モジュール２における走査処理が再開されることになる。
【０１０１】
また、映像信号の受信を停止してから再開するまでの期間が短い場合、回路の駆動に時間がかかって、走査処理の再開が間に合わない虞がある。そこで、映像信号の受信を停止してから所定期間（例えば１ｍｓ）以内に再開する場合、走査処理の休止を表示モジュール２に指示しないことが好ましい。この場合、走査処理の動作が継続されるので、走査処理の再開が間に合わないという問題点を回避することができる。また、従来の帰線期間のような、短い休止期間を除外することができる。
【０１０２】
以上のように、本発明に係る表示制御装置は、走査処理を行って画像信号に基づく画像を表示する表示モジュールを制御する表示制御装置であって、上記目的を達成するために、受信した前記画像信号の前記表示モジュールへの転送を停止するときに、前記走査処理の休止を前記表示モジュールに指示することを特徴としている。
【０１０３】
また、本発明に係る表示制御装置の制御方法は、走査処理を行って画像信号に基づく画像を表示する表示モジュールを制御する表示制御装置の制御方法であって、上記目的を達成するために、受信した前記画像信号の前記表示モジュールへの転送を停止するときに、前記走査処理の休止を前記表示モジュールに指示することを特徴としている。
【０１０４】
上記の構成及び方法によると、受信した画像信号の表示モジュールへの転送が停止されたときに、走査処理の休止が表示モジュールに指示されて、表示モジュールにおける走査処理が休止される。このため、間欠的な動作が変更されても、走査処理の休止の条件は変更されない。従って、回路構成の大規模化および複雑化を招くことなく、種々の間欠的な動作に対応することができる。
【０１０５】
なお、上記表示制御装置がフレームバッファを備えている場合、上記表示制御装置が受信した画像信号は、一旦フレームバッファに書き込まれ、該フレームバッファから読み出されて上記表示モジュールに転送される。一方、上記表示制御装置がフレームバッファを備えていない場合、上記表示制御装置が受信した画像信号は、直ちに、上記表示モジュールに転送される。この場合、上記画像信号を受信しなくなると、上記画像信号の上記表示モジュールへの転送が停止される。すなわち、前記画像信号の前記表示モジュールへの転送を停止するときは、前記画像信号を受信しなくなったときでもある。従って、前記画像信号を受信しなくなったときに、前記走査処理の休止を前記表示モジュールに指示してもよい。
【０１０６】
本発明の一態様に係る表示制御装置では、受信した前記画像信号の前記表示モジュールへの転送を実行するときに、前記走査処理の実行を前記表示モジュールに指示することが好ましい。この場合、間欠的な動作が変更されても、走査処理の実行の条件は変更されない。従って、回路構成の大規模化および複雑化を招くことなく、種々の間欠的な動作に確実に対応することができる。
【０１０７】
ところで、一般的な回路は、処理の開始が指示されてから処理の開始が可能となるまでに或る程度の時間が必要である。そこで、本発明の一態様に係る表示制御装置では、前記走査処理の開始を前記表示モジュールに指示した後に、前記画像信号の転送を開始することが好ましい。これにより、表示モジュールは、転送された画像信号に基づく走査処理を遅滞なく開始することができる。
【０１０８】
本発明の一態様に係る表示制御装置では、前記画像信号の転送を停止するときに、前記表示制御装置または前記表示モジュールに含まれる少なくとも一部の回路の消費電力を低下させることが好ましい。この場合、走査処理の休止期間における表示制御装置または表示モジュールの消費電力を低減することができる。なお、回路の消費電力を低下させるには、当該回路の動作を停止することが挙げられる。
【０１０９】
本発明の一態様に係る表示制御装置では、１画面の一部分の画像に対応する第１の画像信号を転送してから所定期間を経過した後に、残り部分の画像に対応する第２の画像信号を転送してもよい。このように、１画面の画像信号の転送の間に休止期間が設けられる場合でも、走査処理の実行および休止が可能である。
【０１１０】
なお、第１および第２の画像信号は、インタレース方式の画像信号であることが好ましい。この場合、画面全体の大まかな走査が行われるので、画面の一部の走査が時間を開けて行われる場合に比べて、表示品位の劣化を抑制することができる。
【０１１１】
本発明の一態様に係る表示制御装置では、前記画像信号を差動信号で転送することが好ましい。この場合、雑音に対する耐性が向上するので、転送エラーを抑えることができる。
【０１１２】
なお、上述のように、一般的な回路は、処理の開始が指示されてから処理の開始が可能となるまでに或る程度の時間が必要である。このため、画像信号の転送を停止してから再開するまでの期間が短い場合、走査処理の再開が遅滞する虞がある。そこで、本発明の一態様に係る表示制御装置では、前記画像信号の転送を停止してから所定期間内に再開する場合、前記走査処理の休止を前記表示モジュールに指示しないことが好ましい。この場合、走査処理の動作が継続されるので、走査処理の遅滞を防止することができる。
【０１１３】
本発明の一態様に係る表示制御装置では、受信した前記画像信号を前記表示モジュールに転送する画像転送手段と、前記走査処理の開始および休止を前記表示モジュールに指示する駆動指示手段とを備えており、前記画像転送手段は、前記画像信号を前記表示モジュールに転送しているか否かを示す状態情報を作成して前記駆動指示手段に送信しており、前記駆動指示手段は、前記画像転送手段から受信した状態情報に基づいて、前記走査処理の開始および休止を前記表示モジュールに指示してもよい。
【０１１４】
なお、走査処理を行って画像信号に基づく画像を表示素子にて表示する表示モジュールと、該表示モジュールを制御する上記構成の表示制御装置とを備えた表示システムであれば、上述と同様の効果を奏することができる。
【０１１５】
一般に、表示モジュールは、受信した画像信号を上記表示素子に出力する出力回路を備えており、該出力回路は、上記表示モジュールに含まれる他の回路に比べて消費電力が大きい。そこで、本発明の一態様に係る表示システムでは、前記表示制御装置は、前記画像信号の転送を停止するときに、前記出力回路の消費電力を低下するように前記表示モジュールに指示することがより好ましい。この場合、走査処理の休止期間における表示モジュールの消費電力を効果的に低減することができる。
【０１１６】
なお、前記表示モジュールと前記表示制御装置とは、別体であってもよいし、一体であってもよい。別体である場合、前記表示モジュールと前記表示制御装置とは、フレキシブルケーブル等によって電気的に接続すればよい。
【０１１７】
なお、前記表示モジュールの例としては、液晶表示モジュール、有機エレクトロルミネッセンス（ＥＬ）表示モジュールなどが挙げられる。有機ＥＬ表示モジュールは、走査モードにおける消費電流が大きいので、本願発明を適用することにより、消費電力の低減を効果的に図ることができる。
【０１１８】
本発明の一態様に係る表示システムでは、前記表示素子は、複数の画素と、該複数の画素のそれぞれに設けられた複数のスイッチング素子とを備えており、該スイッチング素子は、半導体層に酸化物半導体が用いられたＴＦＴであることが好ましい。
【０１１９】
各画素のスイッチング素子として、電子移動量が比較的高い酸化物半導体を半導体層に用いたＴＦＴを採用することにより、各画素に対して画素データを書き込む時の電子移動量が増大し、該書き込みにかかる時間を短縮することができる。これにより、走査を著しく高速に行うことができ、走査処理を実行する走査期間を短縮することができるので、その分、走査処理を休止する休止期間を延長することができる。従って、前記表示モジュールにおける消費電力の低減をさらに向上させることができる。なお、前記酸化物半導体としては、電子移動量がより高いＩＧＺＯを用いることが、より好ましい。
【産業上の利用可能性】
【０１２０】
以上のように、本発明に係る表示制御装置は、受信した画像信号の表示モジュールへの転送が停止されたときに、走査処理の休止が表示モジュールに指示されて、表示モジュールにおける走査処理が休止されることにより、回路構成の大規模化および複雑化を招くことなく、種々の間欠的な動作に対応することができるので、走査を行う任意の表示モジュールに適用することができる。
【符号の説明】
【０１２１】
１  電子機器（表示システム）
２  表示モジュール
２ａ  表示パネル（表示素子）
４  走査線駆動回路
５  信号線駆動回路
６  共通電極駆動回路
７  タイミングコントローラ（表示制御装置）
１０  本体装置
１１  表示用信号転送部（表示制御装置、画像転送手段）
１２  映像信号受信部（画像転送手段）
１３  同期信号生成部
１４  表示用信号出力部（画像転送手段）
１５  動作判定部（駆動指示手段）
１６  送信側差動アンプ
２０  表示用信号受信部（画像転送手段）
２１  動作判定部（駆動指示手段）
２２  タイミング生成部（駆動指示手段）
２３  映像信号出力部（画像転送手段）
２４  駆動制御部
２５  受信側差動アンプ
３０  ＤＡＣ
３１  ソースアンプ回路
【図１】
2012165302.tif 000003
【図２】
2012165302.tif 000004
【図３】
2012165302.tif 000005
【図４】
2012165302.tif 000006
【図５】
2012165302.tif 000007
【図６】
2012165302.tif 000008
【図７】
2012165302.tif 000009
【図８】
2012165302.tif 000010
【図９】
2012165302.tif 000011
【図１０】
2012165302.tif 000012
【図１１】
2012165302.tif 000013
【国際調査報告】
2012165302.tif 000014
2012165302.tif 000015
2012165302.tif 000016
2012165302.tif 000017